(57)【要約】      （修正有）【課題】液体同士又は液体と粉体の溶解、混合のための攪拌装置を提供する。【解決手段】略円筒形状で構成される筐体１０と、筐体の上面に略円筒形状で凹状に設けられるくぼみ１１と、液体同士、又は液体と粉体とを収容する試料を保持するために設けられ、くぼみ１１の内部に収容されるホルダ１２とを備え、筐体内に回転モーター１５が内蔵され、回転軸をくぼみの穴を通してホルダーの下方に接続している。更に、特定の攪拌モードの選択を受け付ける選択受付制御部と、選択された特定の攪拌モードに基づいて、第一の回転時間だけ回転モーターを回転させた後、第一の静置時間だけ回転モーターを停止させるシンプルサイクルと、第二の回転時間だけ回転モーターを回転させた後、アラームを発報させるとともに、第二の静置時間だけ回転モーターを停止させるアラームサイクルとを、特定の攪拌モードで設定された順番で実行させるサイクル実行制御部とを備える。【選択図】図２
0003225653.tif 000002
【実用新案登録請求の範囲】
【請求項１】
略円筒形状で構成される筐体と、
前記筐体の上面に略円筒形状で凹状に設けられるくぼみと、
液体同士、又は液体と粉体とを収容する試料を保持するために設けられ、前記くぼみの内部に収容されるホルダーと、
前記筐体内に内蔵され、回転軸を上方に延出させ、当該回転軸を前記くぼみの穴を通して前記ホルダーの下方に接続している回転モーターと、
ユーザの操作により、特定の攪拌モードの選択を受け付ける選択受付制御部と、
選択された特定の攪拌モードに基づいて、第一の回転時間だけ前記回転モーターを回転させた後、第一の静置時間だけ当該回転モーターを停止させるシンプルサイクルと、第二の回転時間だけ前記回転モーターを回転させた後、アラームを発報させるとともに、第二の静置時間だけ当該回転モーターを停止させるアラームサイクルとを、当該特定の攪拌モードで設定された順番で実行させるサイクル実行制御部と、
を備える攪拌装置。
【考案の詳細な説明】
【技術分野】
【０００１】
本考案は、攪拌装置に関する。
【背景技術】
【０００２】
従来、液体同士、又は液体と粉体を溶解させたり、混合させたりする攪拌装置は存在する。例えば、特開昭５９−７３０３３号公報（特許文献１）には、隅取式モータ（３）と、支持体（９）に弾性部材（２１，２１）を介して上下及び水平方向に揺動可能に取り付けられ、試料容器（６）の首部（６ａ）を懸垂保持する試料容器保持体（１０）と、及び試料容器（６）をその上側から押圧する押え体（２４）とを具備し、試料容器（６）の首部（６ａ）を前記保持体（１０）で保持すると共に、試料容器（６）を前記押え体（２４）で押圧しつつ前記隅取式モータ（３）の動作により試料容器（６）を振動させるように構成した自動攪拌装置が開示されている。これにより、乳液状、懸濁液状、練状、粉状といった従来迅速な均一攪拌が行い難かった粘塑性物質、不溶性成分含有試料も非常に効果的に攪拌、混合されるもので、これらの試料の均一な攪拌に好適に用いることが出来るとしている。
【０００３】
又、特開２００２−３２０８３５号公報（特許文献２）には、中空円筒容器、この中空円筒容器を収容し係合、保持する容器ホルダー、中空円筒容器内に収容された投与液瓶、投与液瓶の外壁と中空円筒容器の内壁との間隙に投与液瓶を中空円筒容器に挿入、固定するために介在させる弾性体および前記容器ホルダーを自転させると共に公転させる駆動機構を有する混合攪拌機の投与液瓶に、疎水性粉末と分散媒を含んで成る懸濁液調製材料を収容し、前記投与液瓶を自転および公転させる懸濁液の調製方法が開示されている。これにより、従来法によっては懸濁化が不可能又は、きわめて困難であった疎水性粉末の水性分散媒による懸濁化が可能となるとしている。
【０００４】
又、実用新案登録第３１５０７９５号公報（特許文献３）には、ａ）支持台と、ｂ）前記支持台に回転可能に支持された鉛直方向に延びる主軸と、ｃ）前記主軸に対して偏心配置された偏心軸を介して前記主軸の周りを旋回可能に設けられた、上面に撹拌対象物の保持部を有する撹拌台と、ｄ）前記支持台と前記撹拌台との間に撓みを有する状態で架け渡され、前記撹拌台に対して水平方向の２点以上で固定されたゴム製の板状部材から成る自転規制連結材と、を備える撹拌装置が開示されている。これにより、撹拌台が旋回運動の際に自転しようとしても、撹拌台と支持台との間に撓んだ状態で取り付けられた板状部材によって、撹拌台のＸ軸及びＹ軸の２方向の動きが許容されつつ自転が規制され、これにより、板状部材に大きな張力が作用することが防止され、破損し難くなるとしている。更に、撹拌台の自転を規制する機構の構成部品点数を少なくすることができ、製造コストの低減を図ることができるとしている。
【先行技術文献】
【特許文献】
【０００５】
【特許文献１】特開昭５９−７３０３３号公報
【特許文献２】特開２００２−３２０８３５号公報
【特許文献３】実用新案登録第３１５０７９５号公報
【考案の概要】
【考案が解決しようとする課題】
【０００６】
通常の攪拌装置では、作業者が、攪拌対象の試料容器を攪拌している最中に、試料容器の中を目視で観察して、液体同士が十分に混ざっているか、粉体が液体に十分に溶けているかを確認する必要がある。ここで、液体の混合や粉体の溶解では、試料容器を一度攪拌した後に、静置させて、試料容器内の液体や粉体が安定化するのを待つ必要がある。特に、試料容器が薬液等の医薬品である場合には、薬液の攪拌と静置は必要であり、その作業に看護師等の作業者が掛かり切りになっており、看護師等に負担が掛かっているという課題がある。
【０００７】
一方、上述した特許文献１−３に記載の技術では、試料容器の攪拌と静置に関する記載が無く、上述のような看護師等の負担を軽減することが出来ない。
【０００８】
そこで、本考案は、課題を解決するためになされたものであり、看護師等の作業者が掛かり切りになることなく、他の業務に従事することが出来るとともに、規則正しく試料に攪拌と静置とを行うことが可能な攪拌装置を提供することを目的とする。
【課題を解決するための手段】
【０００９】
本考案者は、鋭意研究を重ねた結果、本考案に係る新規な攪拌装置を完成させた。即ち、本考案に係る攪拌装置は、筐体と、くぼみと、ホルダーと、回転モーターと、選択受付制御部と、サイクル実行制御部と、を備える。筐体は、略円筒形状で構成される。くぼみは、前記筐体の上面に略円筒形状で凹状に設けられる。ホルダーは、液体同士、又は液体と粉体とを収容する試料を保持するために設けられ、前記くぼみの内部に収容される。回転モーターは、前記筐体内に内蔵され、回転軸を上方に延出させ、当該回転軸を前記くぼみの穴を通して前記ホルダーの下方に接続している。選択受付制御部は、ユーザの操作により、特定の攪拌モードの選択を受け付ける。サイクル実行制御部は、選択された特定の攪拌モードに基づいて、第一の回転時間だけ前記回転モーターを回転させた後、第一の静置時間だけ当該回転モーターを停止させるシンプルサイクルと、第二の回転時間だけ前記回転モーターを回転させた後、アラームを発報させるとともに、第二の静置時間だけ当該回転モーターを停止させるアラームサイクルとを、当該特定の攪拌モードで設定された順番で実行させる。
【考案の効果】
【００１０】
本考案によれば、看護師等の作業者が掛かり切りになることなく、他の業務に従事することが出来るとともに、規則正しく試料に攪拌と静置とを行うことが可能となる。
【図面の簡単な説明】
【００１１】
【図１】本考案の実施形態に係る攪拌装置の平面図と、底面図と、正面図と、背面図とである。
【図２】本考案の実施形態に係る攪拌装置の右側面図と、左側面図と、Ａ−Ａ線断面図と、Ｂ−Ｂ線断面図とである。
【図３】本考案の実施形態に係る攪拌装置の平面写真と、底面写真と、正面写真と、左側面写真とである。
【図４】本考案の実施形態に係る攪拌装置の斜視図と、斜視写真とである。
【図５】本考案の実施形態に係る攪拌装置の機能ブロック図と、実行手順を示すフローチャートとである。
【図６】本考案の実施形態に係る攪拌装置の使用状態を示す第一の参考斜視図（図６Ａ）と、第二の参考斜視図（図６Ｂ）と、第三の参考斜視図（図６Ｃ）とである。
【図７】本考案の実施形態に係る攪拌装置の振動時の様子を示す参考平面図である。
【図８】本考案の実施形態に係る攪拌装置の攪拌モードの概念図である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案は、図１−図４に示すように、液体同士、又は液体と粉体を溶解させたり、混合させたりする攪拌装置１であって、筐体１０と、くぼみ１１と、ホルダー１２と、ボタン１３と、表示部１４と、を備える。
【００１４】
筐体１０は、略円筒形状で構成される。くぼみ１１は、筐体１０の上面に略円筒形状で凹状に設けられる。ホルダー１２は、液体同士、又は液体と粉体とを収容する試料（例えば、小瓶、バイアル瓶等）を保持するために設けられ、くぼみ１１の内部に収容される。回転モーター１５は、筐体１０内に内蔵され、回転軸１５ａを上方に延出させ、当該回転軸１５ａをくぼみ１１の穴を通してホルダー１２の下方に接続している。筐体１０の背面には、回転モーター１５に電力供給する電源アダプター１６が設けられる。
【００１５】
ホルダー１２は、図１−図４に示すように、例えば、小瓶用のホルダー部材１２ａを１０個、環状に並べて設けている。ホルダー部材１２ａは、小型小瓶用のホルダー部材１２ａと、大型小瓶用のホルダー部材１２ａとを有し、大型小瓶用のホルダー部材１２ａは、ホルダー１２の中心位置を中心として相互に相対する位置に２個設けられ、小型小瓶用のホルダー部材１２ａは、ホルダー１２の残りの位置に８個設けられているが、ホルダー部材１２ａの種類や数に特に限定は無い。又、ホルダー部材１２ａの形状に特に限定は無く、例えば、円筒状であるが、他に、直方体状であっても構わない。ホルダー部材１２ａは、小瓶を固定し易く、且つ、外し易くするために、複数のスリットを入れて、スリット間の板部の先端に、内側に向かう爪部を設けて、ホルダー部材１２ａの可撓性により、爪部が小瓶を軽く係止して保持するよう構成しても良い。ここで、ホルダー１２及びホルダー部材１２ａの材質に特に限定は無いが、例えば、透明とすることで、ホルダー部材１２ａに収納する試料の中身を容易に確認することが可能となる。
【００１６】
ボタン１３は、例えば、筐体１０の平面に３つ設けられ、表示部１４の平面左端側に室温タイマーボタン１３ａと、表示部１４の平面左側に電源／選択ボタン１３ｂと、表示部１４の平面右側にスタート／一時停止ボタン１３ｃとが設けられている。室温タイマーボタン１３ａは、室温タイマーを起動させるためのボタンであり、電源／選択ボタン１３ｂは、電源のＯＮ又はＯＦＦするためのボタンと、電源ＯＮ時において攪拌モードを選択するためのボタンとを兼ね備えている。スタート／一時停止ボタン１３ｃは、攪拌モードの開始又は攪拌モード中に一時停止させるためのボタンである。
【００１７】
表示部１４は、デジタル式であり、例えば、攪拌時間や静置時間、攪拌と停止のサイクルの順番を表示する。表示部１４の背面には、各種ボタン１３と電気的に接続された回転モーター用の制御回路（図示せず）が設けられ、制御回路は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を内蔵しており、ＣＰＵは、例えば、室温タイマーボタン１３ａと電源／選択ボタン１３ｂとスタート／一時停止ボタン１３ｃとの押下に対応する所定の電気信号を受けて、ＲＡＭを作業領域として利用し、ＲＯＭ等に記憶されているプログラムを実行し、表示部１４のデジタル表示を制御する。後述する図５に示す各部についても、制御回路のＣＰＵ等が各部を実現する。
【００１８】
次に、図５−図８を参照しながら、本考案の実施形態に係る構成及び実行手順について説明する。先ず、看護師等の作業者が、電源アダプターを攪拌装置１の電源コネクター１６に装着すると、攪拌装置１の押下検知制御部２０１が、室温タイマーボタン１３ａと電源／選択ボタン１３ｂとスタート／一時停止ボタン１３ｃとの押下の検出を開始する。
【００１９】
次に、作業者が、攪拌装置１の電源／選択ボタン１３ｂを押下すると、押下検知制御部２０１が、電源／選択ボタン１３ｂの押下を検知して、電源アダプターからの電源供給を開始し、表示部１４を点滅させ、電源をＯＮする（図５：Ｓ１０１ＹＥＳ）。尚、電源／選択ボタン１３ｂが押下されない場合は（図５：Ｓ１０１ＮＯ）、電源供給が開始されない。
【００２０】
次に、作業者が、小瓶２０を冷蔵庫から取り出し、図６Ａに示すように、室温タイマーボタン１３ａを押下すると、押下検知制御部２０１が、室温タイマーボタン１３ａの押下を検知し、室温タイマー制御部２０２が、所定の室温タイマーを起動させて、小瓶２０が室温に戻るまで、当該小瓶２０を室温で所定の解凍時間（例えば、１５分等）静置させる（図５：Ｓ１０２ＹＥＳ）。尚、室温タイマーボタン１３ａが押下されない場合は（図５：Ｓ１０２ＮＯ）、室温タイマーは、起動しない。
【００２１】
ここで、室温タイマー制御部２０２は、表示部１４で解凍時間の経過をカウント表示し、室温タイマーが１０分経過すると、短い１回目のアラーム（例えば、「ピー」）を発報し、室温タイマーが１５分経過すると、長い２回目のアラーム（例えば、「ピピー」）を発報する。これにより、作業者に解凍時間の経過と小瓶２０の解凍を知らせることが出来る。
【００２２】
更に、室温タイマーが終了すると、押下検知制御部２０１は、表示部１４に特定の攪拌モードを表示して、表示部１４を点滅させる。これにより、作業者に攪拌モードの選択を促す。
【００２３】
さて、作業者は、図６Ｂに示すように、ホルダー１２のホルダー部材１２ａに小瓶２０を保持させる。そして、作業者は、表示部１４が点滅中であることを確認して、電源／選択ボタン１３ｂを押下すると、押下検知制御部２０１が、電源／選択ボタン１３ｂの押下を検知し、選択受付制御部２０３は、表示部１４で攪拌モードの切り替えを行う（図５：Ｓ１０３）。ここで、電源／選択ボタン１３ｂの押下毎に、選択受付制御部２０３は、予め登録された複数の攪拌モードを所定の順番で切り替え表示することで、作業者に攪拌モードの確認を促すことが出来る。
【００２４】
さて、作業者は、図６Ｃに示すように、電源／選択ボタン１３ｂを押下して、特定の攪拌モードを表示部１４に表示させることで、特定の攪拌モードを選択し、スタート／一時停止ボタン１３ｃを押下する（図５：Ｓ１０４ＹＥＳ）。すると、押下検知制御部２０１が、スタート／一時停止ボタン１３ｃの押下を検知し、サイクル実行制御部２０３は、選択された特定の攪拌モードに基づいて、筐体１０内部の回転モーター１５を駆動させ、図７に示すように、ホルダー１２が、くぼみ１１内で回転して、小瓶２０を振動させ、特定の攪拌モードを実行させる（図５：Ｓ１０５）。
【００２５】
尚、攪拌モードの選択の際に、選択受付制御部２０３は、所定の選択タイマーを起動させて、所定の選択時間（例えば、２分）の間に、特定の攪拌モードが選択されない場合（図５：Ｓ１０４ＮＯ）、選択受付制御部２０３は、電源をＯＦＦして、電源供給を終了する。これにより、何らかの理由により、特定の攪拌モードが選択されない場合は、自動的に電源をＯＦＦして、節電に寄与させることが出来る。
【００２６】
ここで、サイクル実行制御部２０３は、第一の回転時間（例えば、１分）だけ回転モーター１５を回転させた後、第一の静置時間（例えば、５分）だけ当該回転モーター１５を停止（静止、静置）させるシンプルサイクルと、第二の回転時間（例えば、１分）だけ回転モーター１５を回転させた後、（短い）アラーム（例えば、「ピッピッ」、「ピッピッピッ」）を発報させるとともに、第二の静置時間（例えば、５分）だけ当該回転モーター１５を停止させるアラームサイクルとを、当該特定の攪拌モードで設定された順番で実行させる。
【００２７】
具体的には、攪拌モードには、例えば、図８に示すように、第一の攪拌モードと、第二の攪拌モードと、第三の攪拌モードとの３種類が存在する。第一の攪拌モードでは、最初の１番目（１サイクル）の際に、シンプルサイクルが設定され、その後、長いアラーム（例えば、２０秒間連続の「ピピッ」）が発報され、攪拌モードが終了する。第二の攪拌モードでは、１番目と２番目（２サイクル）の際に、シンプルサイクルが設定され、３番目（３サイクル）の際に、アラームサイクルが設定され、その後、長いアラームが発報され、攪拌モードが終了する。第三の攪拌モードでは、１番目と２番目と４番目（４サイクル）の際に、シンプルサイクルが設定され、３番目と５番目（５サイクル）の際に、アラームサイクルが設定され、その後、長いアラームが発報され、攪拌モードが終了する。
【００２８】
このように、作業者が、小瓶２０の種類や数に応じて、所望の攪拌モードを選択し、実行することで、シンプルサイクルとアラームサイクルとが所定の順番で繰り返されるため、小瓶２０を漏れなく確実に攪拌させることが出来る。
【００２９】
ここで、サイクル実行制御部２０３は、特定の攪拌モードを実行中に、シンプルサイクル又はアラームサイクルの順番と時間を表示部１４に随時表示させる。これにより、作業者に攪拌状況を知らせることが出来る。
【００３０】
又、作業者が、何らかの理由により、特定の攪拌モードを実行中に、スタート／一時停止ボタン１３ｃを押下すると、押下検知制御部２０１が、スタート／一時停止ボタン１３ｃの押下を検知し、サイクル実行制御部２０３は、実行中の特定の攪拌モードを一時停止させる。これにより、作業者は、実行中の特定の攪拌モードを一時停止させることが出来る。
【００３１】
そして、作業者が、特定の攪拌モードの一時停止中に、スタート／一時停止ボタン１３ｃを押下すると、押下検知制御部２０１が、スタート／一時停止ボタン１３ｃの押下を検知し、サイクル実行制御部２０３は、一時停止中の特定の攪拌モードを再実行させる。これにより、作業者は、一時停止中の特定の攪拌モードを再開させることが出来る。
【００３２】
さて、サイクル実行制御部２０３は、最後の順番のシンプルサイクル又はアラームサイクルを実行させ、長いアラームを発報する（図５：Ｓ１０６）。これにより、作業者が、小瓶２０をセットして攪拌モードを開始した後に、他の作業を行ったとしても、アラームの発報により、小瓶２０の攪拌と静置の終了を知ることが可能となり、小瓶２０の攪拌に掛かり切りになることなく、アラームの発報により攪拌と静置の終了後の置き忘れを防止することが出来る。その結果、作業者の攪拌負担や監視負担を軽減することが出来る。
【００３３】
さて、作業者が、小瓶２０を目視し、溶解状態を確認する。ここで、作業者が、小瓶２０中の薬液や薬剤が十分に溶解されていない（又は混合されていない）と判断した場合は、追加で攪拌する必要がある。この場合、作業者は、電源／選択ボタン１３ｂを押下せずに（図５：Ｓ１０７ＮＯ）、追加で、再度、Ｓ１０３に戻って、電源／選択ボタン１３ｂを押下して、攪拌モードの選択を行う（図５：Ｓ１０３）。これにより、攪拌モードの繰り返しを行い、小瓶２０中の薬液や薬剤を十分に溶解させることが出来る。
【００３４】
一方、小瓶２０中の薬液や薬剤が十分に溶解されていると判断した場合（図５：Ｓ１０７ＹＥＳ）、作業者は、電源／選択ボタン１３ｂを押下する。すると、押下検知制御部２０１が、電源／選択ボタン１３ｂの押下を検知し、電源をＯＦＦして、電源供給を終了する。作業者は、ホルダー１２から小瓶２０を取り外し、小瓶２０を使用する。これにより、作業者の電源／選択ボタン１３ｂの押下により、攪拌装置１の小瓶２０の攪拌と静置を完了することが出来る。
【００３５】
尚、本考案の実施形態では、攪拌モードを３種類挙げたが、攪拌モードの種類や数に特に限定は無い。又、本考案の実施形態では、攪拌装置１の構成に、更に、他の機能を追加しても構わない。
【産業上の利用可能性】
【００３６】
以上のように、本考案は、薬液等の医薬品に限らず、攪拌と静置とを規則正しく行う必要のある試料の攪拌装置として有用であり、看護師等の作業者が掛かり切りになることなく、他の業務に従事することが出来るとともに、規則正しく試料に攪拌と静置とを行うことが可能な攪拌装置として有効である。
【符号の説明】
【００３７】
１    攪拌装置
１０  筐体
１１  くぼみ
１２  ホルダー
１３  ボタン
１４  表示部
１５  回転モーター
２０１  押下検知制御部
２０２  室温タイマー制御部
２０３  選択受付制御部
２０４  サイクル実行制御部
【図１】
0003225653.tif 000003
【図２】
0003225653.tif 000004
【図３】
0003225653.tif 000005
【図４】
0003225653.tif 000006
【図５】
0003225653.tif 000007
【図６】
0003225653.tif 000008
【図７】
0003225653.tif 000009
【図８】
0003225653.tif 000010